【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
真空封入体の第一の部分を形成するフレームと、
前記真空封入体の内部に配置され、第一の端部及び第二の端部を有する回転サブシステム・シャフトであって、当該回転サブシステム・シャフトの前記第一の端部は前記フレームの第一の部分に取り付けられている、回転サブシステム・シャフトと、
前記真空封入体の内部に配置され、前記回転サブシステム・シャフトに前記第一の端部と前記第二の端部との間で取り付けられているターゲットであって、前記真空封入体の内部に配置された電子発生源から電子を受けるように配置されているターゲットと、
前記回転サブシステム・シャフトの前記第二の端部及び前記フレームの第二の部分に機械的に結合され、前記真空封入体の第二の部分を形成する熱補償器と、
を備え、
前記フレームと前記熱補償器とにより形成される前記真空封入体の前記第一の部分および前記第二の部分は、前記真空封入体の内部の真空が維持されるように、互いに作用し、
前記フレームの第二の部分はロータ・キャンであり、前記熱補償器は前記ロータ・キャンに結合される、Ｘ線管。
【請求項２】
前記回転サブシステム・シャフトの前記第二の端部及び前記熱補償器の第一の端部に取り付けられた第一の補償器取付け部材と、
前記ロータ・キャン及び前記熱補償器の第二の端部に取り付けられた第二の補償器取付け部材と、
を含み、
前記第一の補償器取付け部材および前記第二の補償器取付け部材は、前記第一の補償器取付け部材と前記第二の補償器取付け部材との間に、軸方向の移動を可能にするためのクリアランスが形成されるように、互いに間隔を空けて配置されており、前記熱補償器は、前記第一の補償器取付け部材と前記第二の補償器取付け部材との間に、前記クリアランスに渡って延在するように設けられている、請求項１に記載のＸ線管。
【請求項３】
前記第一及び第二の補償器取付け部材は、前記シャフトの回転軸と同一直線に位置する前記Ｘ線管の軸に沿って互いに摺動自在に係合するように構成されている、請求項２に記載のＸ線管。
【請求項４】
前記熱補償器は、前記ロータ・キャンの第一の端部及び前記フレームの前記第二の部分に取り付けられており、
前記ロータ・キャンの前記第一の端部は、前記フレームの前記第二の部分の開口を通って摺動自在に係合するように構成されており、
前記ロータ・キャンの第二の端部が付属部材片を介して前記回転サブシステム・シャフトの前記第二の端部に取り付けられている、
請求項１に記載のＸ線管。
【請求項５】
前記熱補償器の第一の端部が前記ロータ・キャンに取り付けられており、
前記熱補償器の第二の端部が付属部材片を介して前記回転サブシステム・シャフトの前記第二の端部に取り付けられている、
請求項１に記載のＸ線管。
【請求項６】
前記フレームは、当該フレームの前記第一の部分を含む支持板を含んでいる、請求項１に記載のＸ線管。
【請求項７】
Ｘ線管を製造する方法であって、
フレームにより真空封入体の第一の部分を形成するステップと、
回転サブシステム・シャフトの第一の端部を前記フレームに取り付けるステップと、
前記真空封入体の第二の部分を形成する前記熱補償器の第二の端部を前記フレームに結合するステップと、
ロータ・キャン又は他の構成要素付属部材により前記熱補償器の第一の端部をターゲット支持シャフトの第二の端部に機械的に結合するステップと、
を備え、
前記熱補償器は、前記フレームと協働して前記真空封入体の内部の真空を維持するように伸長可能な部品として形成される、方法。
【請求項８】
前記フレームは支持板及びロータ・キャンを含んでおり、前記回転サブシステム支持シャフトの前記第一の端部は前記支持板に取り付けられている、請求項７に記載の方法。
【請求項９】
第一の補償器取付け部材を前記回転サブシステム支持シャフトの第二の端部及び前記補償器の第一の端部に取り付けることにより、前記熱補償器の前記第一の端部を前記回転サブシステム支持シャフトの前記第二の端部に機械的に結合するステップと、
第二の補償器取付け部材を前記ロータ・キャンに取り付けるステップと、
を含み、
前記熱補償器の前記第二の端部は前記第二の補償器取付け部材に取り付けられる、請求項８に記載の方法。
【請求項１０】
前記第一及び第二の補償器取付け部材の一方が、前記シャフトの回転軸と同一直線に位置する前記Ｘ線管の軸に沿って前記第一及び第二の補償器取付け部材の他方と摺動自在に係合するように構成されている、請求項９に記載の方法。
【請求項１１】
前記熱補償器の前記第一の端部を前記シャフトの前記第二の端部に機械的に結合するステップは、
前記熱補償器の前記第一の端部を前記ロータ・キャンに取り付けるステップと、
前記熱補償器の前記第二の端部を前記フレームの第二の部分に取り付けるステップと
を含んでおり、
前記ロータ・キャンの一方の端部が、前記フレームの前記第二の部分の開口を通って摺動自在に係合するように構成されている、請求項８に記載の方法。
【請求項１２】
前記熱補償器の前記第一の端部は、取付け部材を介して前記回転サブシステム支持シャフトの前記第二の端部に取り付けられており、
前記補償器の前記第二の端部は前記ロータ・キャンに取り付けられている、請求項８に記載の方法。
【請求項１３】
支持構造と、該支持構造に取り付けられた検出器と、前記支持構造に取り付けられたＸ線管とを備えたイメージング・システムであって、
前記Ｘ線管は、
真空封入体の一つの部分を形成する容器と、
前記真空封入体の内部に配置され、第一の端部及び第二の端部を有する回転サブシステム・シャフトであって、当該回転サブシステム・シャフトの前記第一の端部は前記容器の一つの部分に取り付けられている、回転サブシステム・シャフトと、
前記真空封入体の内部において、前記回転サブシステム・シャフトに前記第一の端部と前記第二の端部との間で取り付けられているターゲットであって、前記真空封入体の内部に配置された陰極から電子を受けるように配置されているターゲットと、
前記真空封入体のもう一つの部分が形成されるように、前記シャフトの前記第二の端部及び前記容器のもう一つの部分に機械的に結合される熱補償器アセンブリであって、熱補償器と、前記熱補償器の互いに反対側に位置する端部に取り付けられ、前記熱補償器を前記シャフトの前記第二の端部及び前記容器のもう一つの部分に結合する第一及び第二の補償器取付け部材と有する熱補償器アセンブリと、
を含み、
前記容器及び前記熱補償器アセンブリにより形成された前記真空封入体の内部は、前記熱補償器と前記容器との結合に基づいて、真空が維持されている、イメージング・システム。
【請求項１４】
前記熱補償器アセンブリが結合されている前記容器の前記もう一つの部分はロータ・キャンである、請求項１３に記載のイメージング・システム。
【請求項１５】
前記第一及び第二の熱補償器取付け部材は、前記シャフトの回転軸と同一直線に位置する前記Ｘ線管の軸に沿って互いに摺動自在に係合するように構成されている、請求項１３に記載のＸ線管。
【請求項１６】
前記熱補償器は、前記ロータ・キャンの第一の端部、及び当該補償器が結合されている前記容器の前記もう一つの部分に取り付けられており、
前記ロータ・キャンの前記第一の端部は、前記補償器が取り付けられている前記容器の前記もう一つの部分の開口を通って摺動自在に係合するように構成されており、
前記ロータ・キャンの第二の端部が付属部材片を介して前記シャフトの前記第二の端部に取り付けられている、請求項１４に記載のＸ線管。
【請求項１７】
前記熱補償器の第一の端部が前記ロータ・キャンに取り付けられており、
前記熱補償器の第二の端部が付属部材片を介して前記シャフトの前記第二の端部に取り付けられている、請求項１４に記載のＸ線管。
【請求項１８】
前記フレームは、当該フレームの前記第一の部分を含む支持板を含んでいる、請求項１３に記載のＸ線管。
【請求項１９】
前記熱補償器は、前記フレームと協働して前記真空封入体の内部の真空を維持するように伸長可能な部品を有する、請求項１に記載のＸ線管。